(57)【要約】【課題】ピンを固定するためのかしめ工程が不要で組み立て作業性に優れた蝶番を提供する。【解決手段】固定側蝶番部材１、可動側蝶番部材２、内側リンク３及び外側リンク４がピン１５及び１６により結合され、該ピン１５及び１６の軸部を軸として回動する蝶番であって、ピン１５及び１６の軸部に被係止部１７及び１８を設けるとともに、内側リンク３に前記被係止部１７及び１８を係止する弾性係止部１９及び２０を設け、ピン１５及び１６を挿通することにより弾性係止部１９及び２０に被係止部１７及び１８を係止させた。【選択図】図１
2005160186.tif 000002
【特許請求の範囲】
【請求項１】
２個の蝶番部材と複数のリンク部材とが該蝶番部材及びリンク部材に挿通された４本以上のピンで結合され、該ピンを軸として回動する蝶番であって、ピンの軸部に被係止部を設けるとともに、リンク部材に前記被係止部を係止する弾性係止部を設けたことを特徴とする蝶番。
【請求項２】
外側のリンク部材を金属製、内側のリンク部材を合成樹脂製とし、内側のリンク部材に弾性係止部を設けるとともに、ピンをＵ字状の形状とし、該ピンの内側のリンク部材側に挿通される軸部に被係止部を設けたことを特徴とする請求項１に記載の蝶番。
【発明の詳細な説明】
【技術分野】
【０００１】
本発明は、例えば電気機器収納用箱に組み込まれた機器や配線を覆い、充電部に触れることを防止するための保護板を開閉自在に蝶着する蝶番として使用することができる、電気機器収納用箱の蝶番に関するものである。
【背景技術】
【０００２】
分電盤等の電気機器収納用箱には充電部に直接触れることのないように保護板が設けられており、内部の点検、修理のときに限り作業者が保護板を開いて作業している。保護板は通常側方の一辺が電気機器収納用箱本体に蝶着され、他辺が保護板係止部材により係止されており、蝶番には２個の蝶番部材と複数のリンク部材とが４本以上のピンで結合され、それらのピンを軸として回動するものが多く使用されている。このような蝶番が多く使用されるのは、保護板を閉じたときに保護板の縁辺と電気機器収納用箱本体との間の間隙を狭小にできることによるものである。
【０００３】
従来、こうした蝶番は、一端にフランジを設けたピンを蝶番部材とリンク部材に挿通した後他端をかしめて固定し、組み立てていた。そのため特に多数の軸部で回動するピンの数の多いものは組み立てに多くの工数を要し、コスト高になるという問題があった。これに対し、組み立て時間を短縮できるものとして例えば特許文献１に記載されるような蝶番構造が提案されている。この特許文献１に開示されているのは、２個の蝶番部材である本体及び蝶番部と、略コ字状に形成された２個のピンとからなり、２個のピンを本体と蝶番部の互いに対向する面から挿通したものであって、リンクを２個のピンで兼ねていることから部品点数が少なく組み立て時間も短縮できるという効果があるとされている。ところが、挿通したピンは従来と同様に工程上大きな障害となるかしめにより固定しなければならず、また、ピンでリンクを兼ねていることから強度の面で不安があった。
【特許文献１】特開平７−２２７０１２号公報
【発明の開示】
【発明が解決しようとする課題】
【０００４】
本発明は上記の問題点を解決し、ピンを固定するためのかしめ工程が不要で組み立て作業性に優れた蝶番を提供するためになされたものである。
【課題を解決するための手段】
【０００５】
上記の課題を解決するために完成された本発明の蝶番は、２個の蝶番部材と複数のリンク部材とが該蝶番部材及びリンク部材に挿通された４本以上のピンで結合され、該ピンを軸として回動する蝶番であって、ピンの軸部に被係止部を設けるとともに、リンク部材に前記被係止部を係止する弾性係止部を設けたことを特徴とするものである。ここにおいて、外側のリンク部材を金属製、内側のリンク部材を合成樹脂製とし、内側のリンク部材に弾性係止部を設けるとともに、ピンをＵ字状の形状とし、該ピンの内側のリンク部材側に挿通される軸部に被係止部を設けたものとすることが好ましい。
【発明の効果】
【０００６】
本発明の蝶番は、蝶番部材とリンク部材とを結合するピンの軸部に被係止部を設けるとともに、リンク部材に前記被係止部を係止する弾性係止部が設けてあるので、ピンは単に挿通するだけで係止され、抜けることがないように固定される。したがって、組み立て作業が極めて簡単になり、大きな障害となるかしめ工程をなくすることができるので組み立て時間を著しく短縮することができるという優れた効果がある。
【０００７】
また、外側のリンク部材を金属製、内側のリンク部材を合成樹脂製とし、内側のリンク部材に弾性係止部を設けるとともに、ピンをＵ字状の形状とし、該ピンの内側のリンク部材側に挿通される軸部に被係止部を設けたものとすることにより、内側のリンク部材側に挿通される軸部が係止されると、これと一体の外側のリンク部材側に挿通される軸部も抜けることがないように固定されることになる。これにより弾性係止部は内側のリンク部材にのみ設ければよいので合成樹脂により一体に成形することができ、強度を持たせるため金属製とした外側のリンク部材には弾性係止部を設ける必要がないので低コストとなる利点がある。しかもピンの挿入作業が半減する効果もある。
【発明を実施するための最良の形態】
【０００８】
次に、本発明を実施するための最良の形態について、図を参照しながら具体的に説明する。
【実施例１】
【０００９】
図１は実施例１の斜視図であって、図２に示す各部品を組み立てたものであり、固定側蝶番部材１、可動側蝶番部材２、内側リンク３及び外側リンク４が結合して構成してある。内側リンク３及び外側リンク４の両端にはピン挿通孔５、６及び７、８がそれぞれ設けてあり、固定側蝶番部材１には内側リンク３及び外側リンク４の一端のピン挿通孔５及び７とそれぞれ両側から結合するピン挿通孔９、９及び１０、１０が設けてある。また、可動側蝶番部材２には内側リンク３及び外側リンク４の他端のピン挿通孔６及び８とそれぞれ両側から結合するピン挿通孔１１、１１及び１２、１２が設けてある。
【００１０】
固定側蝶番部材１の基部には電気機器収納用箱に蝶番を取り付けるための取り付け孔１３が設けてあり、可動側蝶番部材２の上面には保護板を取り付けるための取り付け孔１４が設けてある。１５はピン挿通孔９とピン挿通孔５、ピン挿通孔１０とピン挿通孔７にそれぞれ挿通して固定側蝶番部材１と内側リンク３及び外側リンク４の一端を結合するピンであり、Ｕ字状の形状としてピン挿通孔９及び１０に同時に挿通できるようにしてある。１６はピン挿通孔１１とピン挿通孔６、ピン挿通孔１２とピン挿通孔８にそれぞれ挿通して可動側蝶番部材２と内側リンク３及び外側リンク４の他端を結合するピンであり、Ｕ字状の形状としてピン挿通孔１１及び１２に同時に挿通できるようにしてある。
【００１１】
ピン１５のピン挿通孔９に挿通される側の軸部の中央にはリング状に凹設した被係止部１７が、ピン１６のピン挿通孔１１に挿通される側の軸部の中央にはリング状に凹設した被係止部１８がそれぞれ設けてあり、内側リンク３には被係止部１７及び１８に嵌合されて係止する弾性係止部１９及び２０が設けてある。この弾性係止部１９及び２０は弾性変形できるように内側リンク３の前後端中央に突出させて設けたもので、ピン１５及び１６の軸部が挿入される間は変形してその通過を許容し、被係止部１７及び１８が弾性係止部１９及び２０に面したときに旧状に復帰して嵌合されて係止するようにしてある。なお、図中２１は取り付け孔１４に保護板を取り付けるビスが外側リンク４と衝突するのを避けるために外側リンク４に設けた逃がし孔である。
【００１２】
図３及び図４は前記蝶番を組み立てる過程を示す斜視図であって、まず図３に示すように固定側蝶番部材１に内側リンク３と外側リンク４を組み合わせ、ついで図４に示すように可動側蝶番部材２を組み合わせてピン１５を一方の側のピン挿通孔９及び１０に、ピン１６を一方の側のピン挿通孔１１及び１２にそれぞれ挿入する。内側リンク３と外側リンク４を組み合わせた時点でまずピン１５だけを挿通することもできる。挿入されたピン１５の先端はピン挿通孔５及び７を通って他方の側のピン挿通孔９及び１０に至り、被係止部１７は弾性係止部１９に係止される。また、挿入されたピン１６の先端はピン挿通孔６及び８を通って他方の側のピン挿通孔１１及び１２に至り、被係止部１８は弾性係止部２０に係止される。このようにピン１５及び１６は挿入するだけで被係止部１７及び１８が弾性係止部１９及び２０に係止され、抜けることがないように固定されるので、かしめ工程により固定する必要がない。
【００１３】
前記のように組み立てられた蝶番は、図５及び図６に示すように固定側蝶番部材１が電気機器収納用箱２２の本体側に取り付けられ、可動側蝶番部材２に保護板２３が取り付けられる。図５は保護板２３を閉じた状態、図６は保護板を開いた状態を示しており、２４は電気機器収納用箱２２の扉である。電気機器収納用箱２２は一般に立てた状態で設置されることが多く、その場合保護板２３は側方の一辺が蝶着されることになる。そうした状態では保護板２３側である外側リンク４に大きな荷重がかかり、変形しやすいので、外側リンク４は厚みのある鋼板等の金属板で構成することが好ましい。
【００１４】
前記実施例１ではピン１５及び１６をＵ字状の形状とし、ピン１５のピン挿通孔９に挿通される側の軸部に被係止部１７を、ピン１６のピン挿通孔１１に挿通される側の軸部に被係止部１８をそれぞれ設け、被係止部１７及び１８を係止する弾性係止部１９及び２０を内側リンク３に設けているが、ピン１５及び１６をそれぞれ２本の単独のピンとして各ピンに被係止部を設け、内側リンク３及び外側リンク４に弾性係止部を設けておけば、各ピンを各ピン挿通孔９、１０、１１、１２にそれぞれ挿入することにより個別に被係止部が弾性係止部に係止されることになり、こうした構成とすることもできる。
【００１５】
このようにピン１５及び１６をそれぞれ２本、合計４本の単独のピンとした場合には、実施例１のものがピンの先端を２個のピン挿通孔に位置合わせする必要があるところ、その必要がなく、組み立てが容易になる利点がある。反面、外側リンク４を厚みのある金属板で構成すると、外側リンク４に弾性係止部を一体に形成しづらいという難点がある。これに対し、実施例１のものはピン１５及び１６がそれぞれ内側リンク３に形成された弾性係止部１９及び２０のみにより係止されているので外側リンク４に弾性係止部を設ける必要がなく、電気機器収納用箱２２の底板側である内側リンク３には大きな荷重がかかることがないので弾性係止部１９及び２０を合成樹脂で一体に成形することができる利点がある。
【実施例２】
【００１６】
図７は実施例２を構成するピン１５及び１６の斜視図であって、他の部品は全て実施例１を構成するものと同じものを使用し、同じ手順で組み立てる。この実施例２に使用するピン１５及び１６は、両方の軸部に被係止部１７、１７及び１８、１８を設けたものである。ピン１５の両方の軸部に被係止部１７、１７が設けてあるのでピン１５をどちらの方向に挿入しても被係止部１７、１７のいずれか一方が弾性係止部１９に係止されることになり、また、同様にピン１６をどちらの方向に挿入しても被係止部１８、１８のいずれか一方が弾性係止部２０に係止されることになる。
【００１７】
実施例１のものでは、ピン１５をピン挿通孔９及び１０に挿入する際に被係止部１７が設けてある側の軸部をピン挿通孔９に、ピン１６をピン挿通孔１２に挿入する際に被係止部１８が設けてある側の軸部をピン挿通孔１１にそれぞれ合わせる必要がある。これに対し、実施例２のものではピン１５及び１６をどちらの方向に挿入してもよいのでピン１５及び１６の方向を合わせる必要がなく、さらに組み立てが容易になる利点がある。
【００１８】
前記被係止部１７及び１８は軸部の全周にスリット状の小径部を設けた形状のものが図示してあるが、特にこれに限ることはなく一方向の切り欠きとする等任意の形状のものとすることができる。弾性係止部１９及び２０は被係止部１７及び１８の形状に合わせてこれを係止可能な形状のものとする。図示のような全周にスリット状の小径部を設けた形状とすれば、特にピンを単独のピンとした場合に挿入時の方向を制約されない利点がある。
【図面の簡単な説明】
【００１９】
【図１】実施例１の外観を示す斜視図である。
【図２】実施例１を構成する部品を示す斜視図である。
【図３】組み立てる過程を示す斜視図である。
【図４】組み立てる過程を示す斜視図である。
【図５】電気機器収納用箱に組み付けた状態を示す要部の断面図である。
【図６】電気機器収納用箱に組み付けた状態を示す要部の断面図である。
【図７】実施例２を構成するピンの斜視図である。
【符号の説明】
【００２０】
１  固定側蝶番部材
２  可動側蝶番部材
３  内側リンク
４  外側リンク
５、６、７、８、９、１０、１１、１２  ピン挿通孔
１３、１４  取り付け孔
１５、１６  ピン
１７、１８  被係止部
１９、２０  弾性係止部
２１  逃がし孔
２２  電気機器収納用箱
２３  保護板
２４  扉
【図１】
2005160186.tif 000003
【図２】
2005160186.tif 000004
【図３】
2005160186.tif 000005
【図４】
2005160186.tif 000006
【図５】
2005160186.tif 000007
【図６】
2005160186.tif 000008
【図７】
2005160186.tif 000009